(57)【要約】      （修正有）【課題】河川、湖沼、池等を対象とした持続性の汚濁水浄化装置を提供する。【解決手段】汚濁水浄化装置は、（１）凝縮剤を水で練り上げ、硬質ポリエチレン舛目板に練り込んで得られる無機質、中性、自然物質からなる凝縮触媒浄化剤５を水中に吊り下げてなる。（２）酸素触媒浄化剤溶液を小切断した軟質ウレタンフォームに浸透させ、乾燥後、さらにこの浄化剤を浸透、乾燥を繰り返し行うことにより触媒剤をウレタンフォームに安定付着させて完全に乾燥させたものをナイロン系網袋に入れ水中に吊り下げてなる。（１）および／または（２）の汚濁水浄化装置を、河川、湖沼、池中に吊り下げることにより汚濁水を浄化する。この発明装置は、河川、湖沼、池、工場排水、農業用水路、家庭雑排水等広範囲に活用できる。延縄式に触媒剤を水中に吊して浄化する汚濁水浄化装置であり、水量に対して使用触媒剤は０．０５％程度で完全に汚濁水の浄化が可能である。【選択図】図３
2006239667.tif 000002
【特許請求の範囲】
【請求項１】
無機質中性である自然物質から造られたこの凝縮触媒剤は、主に汚泥処理、高含水土壌改良として活用してきた。従来の施工としての活用方法は、粉状の凝縮触媒剤を被汚泥物質に直接散布しながら攪拌することにより汚泥物質を凝縮させ、瞬時に水と不純物を凝縮化させ浄化してきた。本発明は、この凝縮触媒剤の粉状散布としての汚濁水浄化ではなく、凝縮剤を汚濁水中に吊り下げ浸け置く事により汚濁水を改善浄化ができる事が発見され、その汚濁水浄化装置についての請求である。従来の浄化方法と異なることは、粉状での散布ではなく、その凝縮剤を一定の硬さに水で練り上げ、硬質ポリエチレン舛目板に凝縮剤を練り込み、その舛目板を直接汚濁水中に吊り下げ浄化する方法である。この方法は、前記の粉状散布は瞬時に汚濁物が分離し浄化されるが、今回の請求での装置は瞬時ではなく、ある一定の期間汚濁水中に吊り下げて浸け置くことにより、次第に水質が浄化されてくる。その凝縮触媒剤の装置を汚泥水中に吊り下げ、浸け置き開始から約１ヶ月から２ヶ月以内には汚濁水が浄化される。しかし、水質浄化の成果は、水量と汚濁水の汚れの程度により異なることもあるが、持続的に確実に水質浄化ができる発明装置である。
【請求項２】
酸素触媒剤の従来の活用方法としては、地上屋内空間での環境浄化剤として利用されてきた。地上屋内空間にしても、水中内においても酸素が存在する。その酸素触媒浄化剤を活用して汚濁水の浄化をする装置である。汚濁水中の酸素と酸素触媒浄化剤が触合して不純物を分解除去する。再度の実験の結果は、酸素触媒剤を汚濁水中に挿入してからの平均値は約一ヶ月で透明度が増し、浄化できる結果となった。特許請求の浄化装置は、酸素触媒浄化剤を汚濁水中に吊り下げて浸け置き、汚濁水を改善浄化する装置についての請求である。この装置は、酸素触媒浄化剤の溶液を小切断した軟質ウレタンフォームに浸透させ、乾燥後に再度浄化剤を浸透、乾燥を繰り返し行う事により触媒剤がウレタンフォームに安定付着ができ、水中に溶出することなく安定した状態で汚濁水を分解浄化ができ持続的な水質浄化となる装置である。汚濁水中への設置は、触媒剤を安定付着したウレタンフォームが完全に乾燥した状態にてナイロン系の網袋に入れ、汚濁水中へ吊り下げる。汚濁水への吊り下げ方法は、延縄状に吊り下げる為のロープを張り、酸素触媒浄化剤を浸透させたウレタンフォームが入っている網袋を個々に括りつける。吊り下げ後、約一ヶ月経過後次第に汚濁水が浄化され、持続的に浄化される汚濁浄化装置である。
【発明の詳細な説明】
【技術分野】
【０００１】  本発明は、凝縮触媒浄化剤、酸素触媒浄化剤を汚濁水中吊り下げることにより汚濁水中の汚濁物質を吸着分解し、汚濁物質と水を分離分解させる汚濁水浄化装置である。
【背景技術】
【０００２】  従来の汚濁水浄化構造は、河川、湖沼、池などの浄化として浚渫機を使い水底の汚泥を浚渫することが主体として行われてきた。水底の汚泥浚渫だけでは水質の改善には至らず、水底を深く掘削することは水底の生態系を破壊することにもつながり水質改善にはならない。近年は経済発展に伴い、都市化と産業発展により排水中の不純物が多種類化しており末端処理場では対応が追い着かないのが現状である。また、従来の浄化システムは、微生物の繁殖と濾過による自然浄化システムが多く、現況の水質悪化状況には自然浄化システムでは対応が困難である。以下従来の微生物の繁殖による浄化システムと微生物と濾過による浄化については、下記公開特許広報に公開されている。
【特許文献１】特開平  ８−１６８７８９号  公報（第７頁、図１）
【特許文献２】特開平  ８−３３１９９８号  公報（第６頁、図１，図４）
【特許文献３】特開平１０−１４６５９３号  公報（第６頁、図１）
【特許文献４】特開平１１−２００３３９号  公報（第９頁、図５）
【特許文献５】特開平１２−１１７２９３号  公報（第４頁、図１）
【０００３】  大規模な水質浄化機械設置により水質浄化工法もあるが、これらの浄化工法は莫大な費用がかかり、その莫大な費用を投資した割合には成果が上がっていない。【０００４】  他に自然菌を培養繁殖させ、その菌による水質浄化工法もあるが、菌の地域特性と温度差による培養繁殖は画一的ではなく地域差と温度差により浄化効果が異なる。冬期と低気温の場合、培養繁殖が沈滞し活動が休止する欠点があり、水質浄化は成果が上がらず期待出来ない。自然菌と濾過剤を併用した水中浄化方法もあるが、そして、上記のとおり菌の地域特性、温度差があり菌の培養繁殖による大量水域での水質浄化を期待することは、難しい結果となっているのが現状である。
【発明開示】
【発明が解決しようとする課題】
【０００５】  以上述べた従来の最終処理場以外の水質浄化装置は、大型浚渫工事は莫大な経費がかかり、なお、大型機械導入により移動が容易ではなく不動設置の傾向があり、地域が限定され水質改善の為の簡易移動の活動が困難である。また、その浄化設備を増加するには投下資金も莫大となり広域での浄化活動が限定される。
【０００６】  大規模なポンプ循環による濾過工法は、瞬時での浄化工法には適するが、設備の増加には設備費用が莫大にかかり、大量な水質浄化を必要とする現状では処理能率に限界があり、資金投下の割には成果が期待出来ない。
【０００７】  また、自然菌の培養繁殖と濾過剤使用による水質改善は、自然菌の地域特性と温度の高低差による活動が不確定なこともあり、持続的な水質浄化には期待が不透明である。
【０００８】  本発明は、上記のような従来からの構成により水質浄化が遅滞し、水質悪化が進んでいる問題を解決しようとすることであり、河川、湖沼、池の汚濁水の水質改善し、自然再生の実現と環境保全へ向けての足がかりとなることを目的とする。
【問題を解決するための手段】
【０００９】  本発明は、上記目的を達成するために既存の水質浄化方法を見直し、確実に水質浄化が可能となる凝縮浄化剤、酸素触媒浄化剤を水中に装置することにより水酸化ラジカルの働きにより水質浄化が可能な装置である。
【００１０】  第１の課題解決手段による作用は次の通りである。莫大な資金を必要としないで確実に水質浄化ができることである。そして、水質浄化の成果を第一と考え、急速な水質浄化も必要であり可能であるが、持続的に水質浄化が計ることができる。
【００１１】  また、第２の課題解決手段による作用は、自然資源で水生態系に悪影響を及ばさない中性無機質で水生態系に影響を及ぼさない凝集縮触媒浄化剤が水中にて汚濁水と接触し浄化する。この凝縮触媒剤の特性は、水和反応、ポゾラン反応を有する。水和反応は、物理的吸水作用があり、その繊維素多孔性親水基が汚泥濁水中の汚濁物質、悪臭物質、重金属などを吸着吸収する。
【００１２】  以上に述べた通り、水中に装置された凝縮触媒浄化剤は、水中の上記不純物を緩やかに吸着されてくる。急速に水質浄化を期待するのであれば、汚濁水中にこの凝縮触媒剤の粉状で直接散をすれば、急速に水質が浄化される。その場合、一時的であり広範囲の水質浄化は、使用凝縮浄化剤が多量に必要となり非経済的である。本発明は、その凝縮触媒浄化剤を水中に保置することにより、少ない資金投下で持続的な水質浄化をすることが目的である。
【００１３】  また、汚濁水中に装置された酸素触媒は、触媒作用を併用した浄化装置である。水酸化ラジカルが効率よく汚濁水中の不純物を分解、吸収し汚濁水を浄化する。
【発明の効果】
【００１４】  上述したように本発明の汚濁水浄化装置は、河川、湖水、池の水質の汚濁水を浄化ができる。大都市地域の河川は、上流の下水道の普及により水質悪は改善されつつあるが、しかし、水質悪化は進んでいる。本発明を活用することにより、広範囲に水質の浄化が期待できる。
【００１５】  地方都市の下水道の普及率は、完全とは言えず家庭雑排水、未処理の工場排水、化学肥料を含む農業排水が直接に河川、湖沼、池に流されている。それが水質悪化の原因となり、水質悪化の方向に進んでいる結果となっている。それらの汚染された汚濁水を本発明の汚濁水浄化装置を活用することで解決ができると考える。
【発明の実施するための最良の形態】
【００１６】  以下、本発明の実施の形態を図１〜図３に基づいて説明する。
【００１７】  図１においては、粉状の凝縮触媒剤に水を加え練り込みモルタル状にする。モルタル状にした凝縮触媒浄化剤を舛目状のプラスチック板に塗布する。その凝縮触媒浄化剤の使用量は、汚濁水の汚濁度と水量により使用量を計算する。使用する凝縮触媒浄化剤の使用数量は、汚濁水量に対して０．１％程度が平均使用数量である。大規模な汚濁水の浄化には凝縮触媒剤を塗布した網板の数量を増加し、装置することにより汚濁水の浄化が可能となる。
【００１８】  図２においては、液体の酸素触媒浄化剤を発砲ウレタンフォームに沁み込ませ脱剤する。乾燥後、再度この作業を繰り返し完全乾燥後に網に挿入する。網に挿入した酸素触媒浄化剤は、汚濁水中にはえなわ式に吊り下げ装置する。
【００１９】  図３においては、汚濁水中に浄化装置を設置した状態です。凝縮触媒浄化剤は、材料その物に重量がありますので沈みますが、逆に酸素触媒剤は浮力があり浮き上がりますので、吊り下げ用重石を必要とします。そして、凝縮触媒浄化、酸素触媒浄化のいずれの装置にしても汚濁水中に吊り下げ、延縄のように連続して綱に接続します。水深がある場合は、縦に何連も連結します。また、汚濁水の浄化が広範囲な場合、触媒浄化剤の吊り下げる接続ロープを増加することにより浄化目的が達成できる。
【００２０】  本発明の装置は、汚濁水の浄化をすることが目的であるが、流速の急な河川では浄化の効果が遅滞することが考えられる。閉塞的か暖流的な湖沼、池、河川に装備することにて汚濁水の浄化は、約一ヶ月程度で浄化効果が発揮されて浄化された状態が確認される。この浄化装置は、持続的に水質浄化が実現できる汚濁水浄化装置である。
【実施例１】
【００２１】  図３は、本発明装置での凝縮触媒剤使用しての装置をした池浄化の１実施例の断面図である。水量は約２０００トンであり浄化触媒剤を縦３連につなぎ、５０セットを装置した。装置を汚濁水中に吊り下げた後、約一週間経過の状態は、汚濁水と浄化触媒剤が融合して池の水が薄乳白色に変化してきたが、その後約二週間程経過した時点でその薄乳白色が消え、次第に池の水が浄化され始め、一ヶ月後には透明度が増してきた。凝縮触媒浄化剤を引き続き吊り下げることにより、なお一層の水質浄化ができる。
【産業上の利用可能性】
【００２２】  本発明の凝縮触媒浄化装置、酸素触媒浄化装置を汚濁されている河川、湖沼、池に吊り下げ装置することにより、汚濁水が持続的に浄化される。
【図面の簡単な説明】
【００２３】
【図１】凝縮触媒浄化剤の単体を示した説明図である。ａは側面図、ｂは断面図。
【図２】酸素触媒浄化剤の単体を示した説明図である。ａは側面図、ｂは断断図。
【図３】触媒浄化剤装置方法を示した説明図である。触媒浄化剤装置の状況図。（実施例１）
【符号の説明】
【００２４】１    触媒浄化剤保持延長ロープ
２    浮き球
３    浄化触媒剤接続ロープ
４    凝縮触媒剤練り込み確保舛目板
５    凝縮触媒浄化剤
６    空気触媒浄化剤保持円筒網篭
７    空気触媒浄化剤
８    円筒網篭吊り下げ安定重石
９    触媒浄化剤吊り下げロープのアンカー
１０  ロープ接続リング
１１  凝縮触媒浄化剤
１２  酸素触媒浄化剤
Ｔ    水底
Ｗ    水面
【図１】
2006239667.tif 000003
【図２】
2006239667.tif 000004
【図３】
2006239667.tif 000005